(57)【要約】【課題】多種類の物が収納でき、多種類の鞄に簡単に装着できる鞄の補助袋を提供する。【解決手段】鞄の補助袋１は、鞄の持ち手３０に袋体の持ち手２０をかけて使用する袋体１０であって、上部に開口部を有し、開口部を閉じた状態では、開口部の正面側と背面側とが重なり合い、開口部の正面側及び背面側には、それぞれ、袋体の持ち手２０が設けられている。袋体の持ち手２０のそれぞれの両端部の、一方の固着部から他方の固着部までの開口部の間隔と、袋体の持ち手２０のそれぞれの両端部の、一方の固着部から他方の固着部までの袋体の持ち手の２０の長さとが略同じであり、開口部の正面側及び背面側には、それぞれ、袋体の持ち手２０の両端部の固着部の間が伸縮自在になる伸縮手段が設けられている。【選択図】  図１
2018102860.tif 000002
【特許請求の範囲】
【請求項１】
鞄の持ち手に袋体の持ち手をかけて使用する袋体であって、
前記袋体は、上部に開口部を有し、前記開口部を閉じた状態では、前記開口部の正面側と背面側が重なり合い、
前記開口部の正面側及び背面側には、それぞれ、袋体の持ち手が設けられ、
前記袋体の持ち手の両端部の、一方の固着部から他方の固着部までの前記開口部の間隔と、
前記袋体の持ち手の両端部の、一方の固着部から他方の固着部までの前記袋体の持ち手の長さとが略同じであることを特徴とする鞄の補助袋。
【請求項２】
肩掛け鞄の肩紐に吊下げて使用する袋体であって、
前記袋体は、上部に開口部を有し、前記開口部を閉じた状態で、前記開口部の正面側と背面側が重なり合い、
前記袋体の開口部の正面側及び背面側の両端部には、前記開口部の正面側の両端部と対向する背面側の両端部とを連結する、着脱可能で、かつ、長さ調整が可能な吊り下げ手段が設けられていることを特徴とする鞄の補助袋。
【請求項３】
前記袋体の開口部の正面側及び背面側の両端部に、
前記開口部の正面側の両端部と対向する背面側の両端部とを連結する、着脱可能で、かつ、長さ調節が可能な吊り下げ手段が設けられていることを特徴とする請求項１に記載の鞄の補助袋。
【請求項４】
前記袋体の開口部に、前記開口部の全部又は一部が伸縮自在になる伸縮手段が設けられていることを特徴とする請求項１から請求項３の何れかに記載の鞄の補助袋。
【請求項５】
前記袋体の開口部に、少なくとも１組の着脱可能な連結手段を有する１又は複数のベルト片、あるいは、２本の紐が設けられていることを特徴とする請求項１から請求項４の何れかに記載の鞄の補助袋。
【発明の詳細な説明】
【技術分野】
【０００１】
本発明は、鞄に装着して使用する鞄の補助袋に関する。
【背景技術】
【０００２】
鞄を持って外出中、暑くて脱いだ上着を手に持っていると、手の汗が上着についたり、上着に皺がついたりする上に、両手が塞がるので動きにくい。また、マフラーを外して鞄の上に置いておくと、知らぬ間に落としてしまうことがある。この問題を解決するため、例えば特許文献１では、２本の棒の間にスーツ等を挟み込み、手さげバッグの取っ手部に装着するコンパクト・ハンガーが開示されている。
【先行技術文献】
【特許文献】
【０００３】
【特許文献１】実用新案登録第３１０１８５８号公報
【発明の概要】
【発明が解決しようとする課題】
【０００４】
特許文献１のコンパクト・ハンガーは、鞄と上着等を一緒に片手で運ぶことができるので、汗がついたり、皺がつくことはないが、上着等の厚さによっては挟みにくい場合があり、マフラー等の小物の衣類には使用できない。また、鞄の取っ手部の形状によっては使用できず、肩掛け鞄には使用できない。
【０００５】
従って本発明の目的は、多種類の物が収納でき、多種類の鞄に簡単に装着できる鞄の補助袋を提供することを目的としている。
【課題を解決するための手段】
【０００６】
本発明に係る鞄の補助袋は、鞄の持ち手に袋体の持ち手をかけて使用する袋体であって、上部に開口部を有し、開口部を閉じた状態では、開口部の正面側と背面側が重なり合い、開口部の正面側及び背面側には、それぞれ、袋体の持ち手が設けられている。袋体の持ち手の両端部の、一方の固着部から他方の固着部までの開口部の間隔と、袋体の持ち手の両端部の、一方の固着部から他方の固着部までの袋体の持ち手の長さが、略同じであることを特徴とする。
【０００７】
鞄の補助袋は袋体なので、上着等の衣類に限らず、マフラーなどの小物も収納できる。また、鞄の補助袋の持ち手を鞄の持ち手にかけるだけで、多種類の鞄に簡単に装着することができる。使用者は、鞄の持ち手を握っているだけで、鞄と鞄の補助袋の両方を持つことができる。また、袋体の持ち手の長さが短いので、鞄の持ち手に袋体の持ち手をかけたとき、袋体がブラブラせず、鞄と袋体が一体となって見栄えがよい。
【０００８】
本発明に係る鞄の補助袋は、肩掛け鞄の肩紐に吊下げて使用する袋体であって、上部に開口部を有し、開口部を閉じた状態で、開口部の正面側と背面側が重なり合い、袋体の開口部の正面側及び背面側の両端部に、該開口部の正面側の両端部と対向する背面側の両端部とを連結する、着脱可能で、かつ、長さ調節が可能な吊り下げ手段が設けられている。
【０００９】
鞄の補助袋は袋体なので、上着等の衣類に限らず、マフラーなどの小物も収納できる。また、袋体に吊り下げ手段を設けることにより、肩掛け鞄の肩紐に袋体を装着することができ、使用者は袋体を手に持つ必要がない。また、吊下げ手段は、肩掛け鞄のサイズに合わせて長さ調節できるので、肩掛け鞄の肩紐に、鞄の補助袋を装着したとき、袋体がブラブラせず、鞄と袋体が一体となって見栄えがよい。
【００１０】
好ましくは、袋体の開口部に、該開口部の全部又は一部が伸縮自在になる伸縮手段が設けられている。
【００１１】
持ち手を有する袋体の開口部に伸縮手段を設けることにより、袋体の持ち手の両端部の間隔が縮まり、袋体の持ち手と袋体の開口部上端との間に隙間ができる。その結果、袋体の持ち手が握りやすくなり、手提げ袋としても使用することができる。
【００１２】
また、吊り下げ部を有する袋体の開口部に伸縮手段を設けることにより、袋体の開口部を鞄のサイズに調節することができ、見栄えが良くなる。
【００１３】
また、好ましくは、袋体の開口部に、少なくとも１組の着脱可能な連結手段を有する１又は複数のベルト片、あるいは、２本の紐が設けられている。
【００１４】
袋体に設けたベルト片は、あるいは、２本の紐には、それぞれ、２通りの使い方がある。  
まず、ベルト片は、袋体の持ち手を鞄の持ち手にかけ、ベルト片を鞄の持ち手に巻き付けて、着脱可能な連結手段で連結することにより、袋体が鞄の持ち手から外れない。また、鞄の補助袋を使用しないときは、袋体を小さく折り畳んでベルト片を着脱可能な連結手段で連結すれば、携帯に便利である。持ち手を有しない袋体にも使用できる。
【００１５】
次に、２本の紐は、袋体の持ち手を鞄の持ち手にかけ、２本の紐で鞄の持ち手を縛れば、袋体の持ち手は鞄の持ち手から外れない。また、鞄の補助袋を使用しないときは、袋体を小さく折り畳んで２本の紐で結束すれば、携帯に便利である。持ち手を有しない袋体にも使用できる。
【発明の効果】
【００１６】
以上のように本発明によれば、多種類の物が収納でき、多種類の鞄に簡単に装着することができる鞄の補助袋を提供することができる。
【図面の簡単な説明】
【００１７】
【図１】第１実施形態に係る本発明の使用状態を示した斜視図である。
【図２】第１実施形態に係る本発明の正面図（背面図）である。
【図３】第１実施形態の説明図である。
【図４】第１実施形態の説明図である。
【図５】第１実施形態の説明図である。
【図６】第１実施形態の説明図である。
【図７】第１実施形態の説明図である。
【図８】第２実施形態に係る本発明の使用状態を示した斜視図である。
【図９】第２実施形態に係る吊り下げ部３０を示す拡大図である。
【図１０】第２実施形態に係る吊り下げ紐３６の使用状態を示す斜視図である。
【図１１】第３実施形態に係る鞄の補助袋３を示す斜視図である。
【図１２】第３実施形態に係る伸縮部４０ａの説明図である。
【図１３】第３実施形態に係る伸縮部４０ａの説明図である。
【図１４】第３実施形態に係る伸縮部４０ｂの説明図である。
【図１５】第３実施形態に係る伸縮部４０ｂの説明図である。
【図１６】第４実施形態に係る鞄の補助袋４の使用状態を示す斜視図である。
【図１７】第４実施形態に係る伸縮部４０ｃの説明図である。
【図１８】第４実施形態に係る伸縮部４０ｃの説明図である。
【図１９】第５実施形態に係る鞄の補助袋５のベルト片５０を示す拡大図である。
【図２０】第５実施形態に係る鞄の補助袋５のベルト片５０を示す拡大図である。
【図２１】（ａ）第５実施形態に係る鞄の補助袋５のベルト片５０の説明図である。（ｂ）第５実施形態に係る鞄の補助袋５のベルト片５０の説明図である。
【図２２】第５実施形態に係る鞄の補助袋５の２本の紐５２の拡大図である。
【図２３】第５実施形態に係る鞄の補助袋５の２本の紐５２の拡大図である。
【図２４】第５実施形態に係る鞄の補助袋５の２本の紐５２の使用状態を示す斜視図である。
【図２５】第６実施形態に係る鞄の補助袋６の斜視図である。
【発明を実施するための形態】
【００１８】
（第１実施形態）
以下、本発明に係る第１実施形態について、図を用いて説明する。図１は、第１実施形態に係る鞄の補助袋１を、鞄の持ち手７に装着している斜視図である。図１に示すように、鞄の補助袋１は、袋体１０に衣類等を収納し、袋体の持ち手２０を鞄の持ち手７にかけて使用するもので、防水性の素材からなる袋体１０と２本の袋体の持ち手２０とで構成されている。
【００１９】
図２は、図１に示した鞄の補助袋１の正面図（背面図）である。鞄の補助袋１は、上部に開口部を有し、袋体１０の開口部の正面側と背面側には、それぞれ、袋体の持ち手２０が設けられていて、袋体の持ち手２０の両端部の一方の固着部（点Ｘ）から他方の固着部（点Ｙ）までの間隔（線ＸＰＹ）と、袋体の持ち手２０の両端部の一方の固着部（点Ｘ）から他方の固着部（点Ｙ）までの袋体の持ち手２０の長さ（線ＸＱＹ）とが略同じである点に特徴があり、例えば、以下のように製造することができる。
【００２０】
袋体１０は、上部が開口していて、収納したいものが収納できる大きさであれば、形状は限定しないが、第１実施形態に係る鞄の補助袋１の場合は、背広の上着が収納できるように、袋体１０にマチを設けた。
【００２１】
図３に示すように、長方形の防水性の布１１の短手の両端部を、布の裏面１１ｂに向けて三つ折りして点線Ａを縫合する。
【００２２】
次に、袋体１０の横マチ１２を形成する。図４に示すように、布１１の長手の両端を、横マチ幅の半分の幅のところで布の裏面１１ｂに向けて折り返し、折山から５ｍｍ程内側の点線Ｂを縫合する。
【００２３】
図５に示すように、布１１の長手の両端を外側に広げ、布１１が外表になるように、三つ折り縫合した短手の両端を合わせて、２つ折りにし、布１１の長手の両端から７ｍｍ程内側の点線Ｃを縫合し、袋体を形成する。
【００２４】
図６に示すように、袋体を中表にして、両端から１ｃｍ程内側の点線Ｄを縫合し、横マチ１２を形成する。
【００２５】
図７に示すように、袋体を外表にして、横マチ１２の下端と袋体の底部を重ね、該袋体の底部の端より７ｍｍ程内側の点線Ｅを縫合して、袋体１０を形成する。
【００２６】
次に、袋体の持ち手２０について説明する。袋体の持ち手２０は、細長い防水性の布を筒状に縫製し、袋体１０の開口部の正面側と背面側にそれぞれ設ける。図２に示すように、袋体の持ち手２０の両端部の一方の固着部（点Ｘ）から他方の固着部（点Ｙ）までの間隔（線ＸＰＹ）と、袋体の持ち手２０の両端部の一方の固着部（点Ｘ）から他方の固着部（点Ｙ）までの長さ（線ＸＱＹ）とが略同じになるように、袋体１０の正面側と対向する背面側に取り付ける。このとき、袋体の持ち手２０の両端部の固着部の上方を縫い縮めると取り付けやすい。
【００２７】
なお、袋体の持ち手２０の両端部の固着部の間隔は、袋体の持ち手２０が鞄の持ち手７にかけられるように、鞄の持ち手７の両端部の固着部の間隔よりも広くなっていなければならない。
【００２８】
第１実施形態に係る鞄の補助袋１は、横マチ１２を有する袋体なので、厚みのある上着等の衣類の他に、マフラーなどの小物類も収納でき、袋体の持ち手２０を鞄の持ち手７にかけるだけで、鞄の補助袋１が簡単に鞄に装着できる。また、衣類を手に持つ必要がないので、片手が空いて、雨が降っても傘が持ち易い。さらに、鞄の補助袋１は防水性の素材を使用しているので、収納物は雨に濡れない。
【００２９】
また、袋体の持ち手２０の長さが短いので、袋体の持ち手２０を鞄の持ち手７にかけたとき、袋体１０がブラブラせず、鞄と鞄の補助袋１が一体になり見栄えも良い。
【００３０】
なお、本発明の鞄の補助袋に収容できる物は、上着等の衣類に限定するものではないが、鞄の持ち手７の形状や耐荷重等を考慮して決めなければならない。
【００３１】
（第２実施形態）
次に、第２実施形態について説明する。第２実施形態に係る鞄の補助袋２は、肩掛け鞄８の肩紐に装着して使用するものである。鞄の補助袋２は、第１実施形態に係る鞄の補助袋１の袋体の持ち手２０に代えて、袋体１０の開口部の両端部に、吊り下げ手段として、吊り下げ部３０が設けられている点が第１実施形態と異なる。その他の構成は、第１実施形態と略同じであるので、以下、第１実施形態と異なる吊り下げ部３０を中心に説明する。
【００３２】
図８は、吊り下げ部３０備えた鞄の補助袋２の使用状態を示す斜視図である。図９は、吊り下げ部３０を示す拡大図である。吊り下げ部３０は、紐ａ３１と紐ｂ３２と角カン３３と移動カン３４と雌雄型の釦３５とで構成されていて、移動カン３４を利用して長さ調整が可能になっている。
【００３３】
図９に示すように、吊り下げ部３０は、まず、角カン３３に紐ａ３１を通し、紐ａ３１の両端を合わせて、紐ａ３１の端部を、袋体１０の開口部の背面側の両端部に、それぞれ点線Ｆで縫合する。次に、紐ｂ３２の片端を移動カン３４に通し、該端部が移動カン３４から外れないように、点線Ｇで縫合し、他端を角カン３３に通した後、移動カン３４に通す。紐ｂ３２の先端部、及び、紐ａ３１の取り付け箇所と対向する正面側の両端部に、雄雌型の釦３５をそれぞれ取り付けて、２組の吊り下げ部３０を形成する。
【００３４】
吊り下げ部３０を肩掛け鞄８の肩紐に巻き付け、雄雌型の釦３５を連結すれば、肩掛け鞄８に装着できる。吊り下げ部３０は、移動カンの部分で長さ調節できる。
【００３５】
第２実施形態では、吊り下げ部３０を設けることにより、肩掛け鞄８に装着することができる。吊り下げ部３０は、肩掛け鞄８のサイズに合わせて長さ調節できるので、肩掛け鞄８の肩紐に、鞄の補助袋２を装着したとき、袋体１０がブラブラせず、鞄と鞄の補助袋２とが一体となって見栄えがよい。袋体１０の効果は、第１実施形態と同じであるので、説明は省略する。
【００３６】
なお、吊り下げ手段は、吊り下げ部３０に限らず、袋体１０が肩掛け鞄８に装着できればよい。例えば、図１０に示すように、袋体１０の開口部の両端部に各２本の吊り下げ紐３６を設ける。２本の吊り下げ紐３６を肩掛け鞄８の肩紐に縛り付ければ、肩掛け鞄に装着できる。吊り下げ紐３６の縛る長さを調節すれば、幅広いサイズの肩掛け鞄８に適応する。
【００３７】
（第３実施形態）
次に、第３実施形態について説明する。第３実施形態では、第１実施形態に係る鞄の補助袋１の袋体１０の開口部に、伸縮手段を設けた点が第１実施形態と異なる。その他の構成及び効果は、第１実施形態と略同様であるので説明は省略する。以下、第１実施形態と異なる伸縮手段を中心に説明する。
【００３８】
図１１は、第３実施形態に係る鞄の補助袋３を示す斜視図である。鞄の補助袋３は、第１実施形態に係る鞄の補助袋１の袋体１０の開口部に、伸縮手段の実施例として、伸縮部４０ａが設けられている。伸縮部４０ａは、袋体の持ち手２０の両端部の固着部（点Ｘ、点Ｙ）の間を縮めるためのもので、紐通し穴４１ａと、紐４２ａと、釦穴４３と、釦４４とで構成される。
【００３９】
図１２、図１３は、伸縮部４０ａの説明図である。図１２に示すように、布１１の短手の両端部を、布の裏面１１ｂに向けて折り曲げ、点線Ｈで縫合し、袋体の持ち手２０の一方の固着部（点Ｘ）の際の袋体１０の開口部の中央寄りの部分に、紐通し穴４１ａを設ける。次に、他方の固着部（点Ｙ）の際の袋体１０の開口部の中央寄りの部分に、紐４２ａの片端を縫い止める。紐４２ａの他端の部分には釦穴４３を２箇所に設ける。
【００４０】
図１３に示すように、紐４２ａの他端を紐通し穴４１ａから布の表側１１ａに取り出し、布１１の短手の両端部を、布の裏面１１ｂに向けて更に折り曲げ、点線Ａで縫合する。その後の製造過程は、段落００２２から００２６までと略同じであるので省略する。
【００４１】
第３実施形態では、袋体１０の開口部に伸縮部４０ａが設けられているので、伸縮部４０ａを縮めることにより、袋体の持ち手２０の両端部の間隔が縮まり、袋体の持ち手２０と袋体１０の開口部の間に隙間ができる。その結果、袋体の持ち手２０が握りやすくなり、鞄の補助袋３を手提げ袋としても使用することができる。
【００４２】
なお、伸縮手段はこれに限らず、袋体の持ち手２０の両端部の固着部（点Ｘ、点Ｙ）の間が縮まるものであればよく、例えば、図１４、図１５に示すように、袋体の開口部の中央部分に雌雄型のスナップ４５を設けた伸縮部４０ｂでもよい。雌雄型のスナップ４５を連結すれば、袋体の持ち手２０の両端部の間隔が縮まる。
【００４３】
（第４実施形態）
次に、第４実施形態について説明する。第４実施形態では、第２実施形態に係る鞄の補助袋２の袋体１０の開口部に、伸縮手段を設けた点が第２実施形態と異なる。その他の構成及び効果は、第２実施形態と略同様であるので説明は省略する。以下、第２実施形態と異なる点を中心に説明する。
【００４４】
図１６は、第４実施形態に係る鞄の補助袋４の使用状態を示す斜視図である。鞄の補助袋４は、鞄の補助袋２の袋体１０の開口部に、伸縮手段の実施例として、伸縮部４０ｃが設けられている。
【００４５】
図１７、図１８は、伸縮部４０ｃの説明図である。伸縮部４０ｃは、布１１の短手の両端部を、布の裏面１１ｂに向けて折り曲げ、該両端部の中央に、紐通し穴４１ｂ、４１ｃを並べて設ける。横マチ１２となる部分よりも内側の任意の位置に、紐４２ｂと紐４２ｃの片端を縫い止める。紐４２ｂの他端を紐通し穴４１ｂから布の表側１１ａに取り出し、紐４２ｃの他端を紐通し穴４１ｃから布の表側１１ａに取り出し、布１１の短手の両端部を、布の裏面１１ｂに向けて更に折り曲げ、点線Ａで縫合する。その後の製造過程は、段落００２２から００２６までと略同じであるので省略する。
【００４６】
紐通し穴４１ｂ、４１ｃから出た紐４２ｂ、４２ｃを、袋体１０の両端に同時に引けば、開口部は縮まる。袋体１０の開口部に伸縮手段を設けることにより、袋体１０が鞄より大きい場合には、袋体１０の開口部を、鞄の大きさに合わせて縮めることができ、袋体１０がブカブカせず、見栄えも良くなる。
【００４７】
（第５実施形態）
次に、第５実施形態について説明する。第５実施形態では、第３実施形態に係る鞄の補助袋３の開口部に、ベルト片５０が更に設けられた点で鞄の補助袋３と異なる。その他の構成及び効果は、鞄の補助袋３と略同様であるので説明は省略する。以下、鞄の補助袋３と異なる点を中心に説明する。
【００４８】
ベルト片５０には、連結手段として、使用目的別に２組の雌雄型の釦が設けられている。１組は、鞄の持ち手７にかけた袋体の持ち手２０が鞄から外れるのを防ぐためのもので、もう１組は、鞄に装着する袋を使用しないときに、該袋を小さく折り畳んで結束するためのものである。なお、第５実施形態においては、連結手段として雌雄型の釦を設けているが、連結できるものであればこれに限定しない。
【００４９】
図１９は、第５実施形態に係る鞄の補助袋５のベルト片５０を示す拡大図である。ベルト片５０は、防水性の素材からなる筒状の細長い紐で、２組の着脱可能な雌雄型の釦５１ａ、５１ｂを備え、袋体１０の開口部の背面側の鞄の持ち手２０の両端部の何れかの固着部（点Ｘ又は点Ｙ）の際で中央寄りに、ベルト片５０の片端を縫合する。２組の雌雄型の釦５１ａ、５１ｂは用途に応じて連結する。
【００５０】
鞄の持ち手７にかけた袋体の持ち手２０が鞄から外れないように使用するときは、図  ２０に示すように、鞄の補助袋５の背面側が鞄に接合するように、袋体の持ち手２０を鞄の持ち手７にかけ、ベルト片５０を背面側の鞄の持ち手７に巻いて、雌雄型の釦５１ａを連結することにより、鞄の補助袋５が鞄に固定され、袋体の持ち手２０が鞄の持ち手７から外れるのを防ぐことができる。なお、ベルト片５０は１箇所に限らず、袋体の持ち手２０の両端部の際に適宜設けることができる。
【００５１】
また、鞄の補助袋５を使用しないときは、図２１ａ、ｂに示すように、鞄の補助袋５を折り畳んでベルト片５０を巻き付け、雌雄型の釦５１ｂを連結すれば、鞄の補助袋５が小さくまとまり、鞄に収納しても邪魔にならない。
【００５２】
ベルト片５０は、第４実施形態に係る鞄の補助袋４にも設けることができる。１組の雌雄型の釦５１ｂのみを備えたベルト片５０の片端を、袋体１０の開口部の正面側又は背面側の中央に取り付ける。鞄の補助袋４を使用しないときは、鞄の補助袋４を折り畳んでベルト片５０を巻き付け、雌雄型の釦５１ｂを連結すれば、鞄の補助袋４が小さくまとまり、鞄に収納しても邪魔にならない。
【００５３】
図２２は、袋体１０の開口部に、ベルト片５０の代わりに２本の紐５２を設けた拡大図である。鞄の補助袋３の袋体１０の背面側の開口部の中央よりも左右何れかに寄った位置に、２本の紐５２の片端を縫合する。
【００５４】
図２３に示すように、鞄の持ち手７に袋体の持ち手２０をかけ、２本の紐５２で鞄の持ち手７を縛れば、袋体１０が鞄の持ち手７から外れない。図２４に示すように、鞄の補助袋を使用しないときは、鞄の補助袋を折り畳んで、２本の紐５２で結束すれば、小さくまとまり携帯に便利である。
【００５５】
２本の紐５２は、第４実施形態に係る鞄の補助袋４にも設けることができる。２本の紐５２の片端を、袋体１０の開口部の正面側又は背面側の中央に取り付ける。鞄の補助袋４を使用しないときは、鞄の補助袋４を折り畳んで、２本の紐５２で結束すれば、小さくまとまり携帯に便利である。
【００５６】
（実施形態６）
次に、第６実施形態について説明する。図２５は、第６実施形態に係る鞄の補助袋６の斜視図である。第６実施形態は、第５実施形態に係る鞄の補助袋５の開口部に吊り下げ部３０が更に設けられている。吊り下げ部３０は、第２実施形態と同様であるので説明は省略する。
【００５７】
鞄の補助袋６は袋体なので、上着等の衣類の他に、マフラーなどの小物類も収納できる。また、袋体の持ち手２０及び吊り下げ部３０を有するので、持ち手を有する鞄でも、肩掛け鞄７でも、多種類の鞄に装着できる。伸縮部４０ａを縮めることにより、手提げ袋としても使用できる。ベルト片５０を鞄の持ち手に取り付ければ、袋体の持ち手２０が鞄の持ち手７から外れることはなく、鞄を使用しないときは、鞄の補助袋６を折り畳み、ベルト片で結束すれば、鞄の補助袋６が小さくまとまり、携帯に便利である。
【符号の説明】
【００５８】
１、２、３、４、５，６：鞄の補助袋
７：鞄の持ち手
８：肩掛け鞄
１０:袋体
１１:布
１１ａ：布の表面
１１ｂ：布の裏面
１２：横マチ
２０：袋体の持ち手
３０：吊り下げ部
３１：紐ａ
３２：紐ｂ
３３：角カン 
３４：移動カン 
３５：雌雄型の釦
３６：吊り下げ紐
４０ａ、４０ｂ、４０ｃ：伸縮部
４１ａ、４１ｂ、４１ｃ：紐通し穴
４２ａ、４２ｂ、４２ｃ：紐
４３：釦穴
４４：釦
４５：雌雄型のスナップ
５０：ベルト片
５１ａ、５１ｂ：雌雄型の釦
５２：紐
【図１】
2018102860.tif 000003
【図２】
2018102860.tif 000004
【図３】
2018102860.tif 000005
【図４】
2018102860.tif 000006
【図５】
2018102860.tif 000007
【図６】
2018102860.tif 000008
【図７】
2018102860.tif 000009
【図８】
2018102860.tif 000010
【図９】
2018102860.tif 000011
【図１０】
2018102860.tif 000012
【図１１】
2018102860.tif 000013
【図１２】
2018102860.tif 000014
【図１３】
2018102860.tif 000015
【図１４】
2018102860.tif 000016
【図１５】
2018102860.tif 000017
【図１６】
2018102860.tif 000018
【図１７】
2018102860.tif 000019
【図１８】
2018102860.tif 000020
【図１９】
2018102860.tif 000021
【図２０】
2018102860.tif 000022
【図２１】
2018102860.tif 000023
【図２２】
2018102860.tif 000024
【図２３】
2018102860.tif 000025
【図２４】
2018102860.tif 000026
【図２５】
2018102860.tif 000027
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
鞄の持ち手に袋体の持ち手をかけて使用する袋体であって、
上部に開口部を有し、
前記開口部を閉じた状態では、前記開口部の正面側と背面側とが重なり合い、
前記開口部の正面側及び背面側には、それぞれ、前記袋体の持ち手が設けられ、
前記袋体の持ち手のそれぞれの両端部の、一方の固着部から他方の固着部までの前記開口部の間隔と、
前記袋体の持ち手のそれぞれの両端部の、一方の固着部から他方の固着部までの前記袋体の持ち手の長さとが略同じであり、
前記開口部の正面側及び背面側には、それぞれ、前記袋体の持ち手の両端部の固着部の間が伸縮自在になる伸縮手段が設けられていることを特徴とする鞄の補助袋。
【請求項２】
前記開口部の両端部には、それぞれ、前記開口部の正面側の両端部と対向する背面側の両端部とを連結する、着脱可能で、かつ、長さ調整が可能な吊り下げ手段が設けられていることを特徴とする請求項１に記載の鞄の補助袋。
【請求項３】
肩掛け鞄の肩紐に吊下げて使用する袋体であって、
上部に開口部を有し、
前記開口部を閉じた状態では、前記開口部の正面側と背面側とが重なり合い、
前記開口部の両端部には、それぞれ、前記開口部の正面側の両端部と対向する背面側の両端部とを連結する、着脱可能で、かつ、長さ調整が可能な吊り下げ手段が設けられ、
前記開口部の正面側及び背面側には、それぞれ、前記開口部の一部が伸縮自在になる伸縮手段が設けられていることを特徴とする鞄の補助袋。
【手続補正２】
【補正対象書類名】明細書
【補正対象項目名】全文
【補正方法】変更
【補正の内容】
【発明の詳細な説明】
【技術分野】
【０００１】
本発明は、鞄に装着して使用する鞄の補助袋に関する。
【背景技術】
【０００２】
鞄を持って外出中、暑くて脱いだ上着を手に持っていると、手の汗が上着についたり、上着に皺がついたりする上に、両手が塞がるので動きにくい。また、マフラーを外して鞄の上に置いておくと、知らぬ間に落としてしまうことがある。この問題を解決するため、例えば特許文献１では、２本の棒の間にスーツ等を挟み込み、手さげバッグの取っ手部に装着するコンパクト・ハンガーが開示されている。
【先行技術文献】
【特許文献】
【０００３】
【特許文献１】実用新案登録第３１０１８５８号公報
【発明の概要】
【発明が解決しようとする課題】
【０００４】
特許文献１のコンパクト・ハンガーは、鞄と上着等を一緒に片手で運ぶことができるので、汗がついたり、皺がつくことはないが、上着等の厚さによっては挟みにくい場合があり、マフラー等の小物の衣類には使用できない。また、鞄の取っ手部の形状によっては使用できず、肩掛け鞄には使用できない。
【０００５】
従って本発明の目的は、多種類の物が収納でき、多種類の鞄に簡単に装着できる鞄の補助袋を提供することを目的としている。
【課題を解決するための手段】
【０００６】
本発明に係る鞄の補助袋は、鞄の持ち手に袋体の持ち手をかけて使用する袋体であって、上部に開口部を有し、開口部を閉じた状態では、開口部の正面側と背面側とが重なり合い、開口部の正面側及び背面側には、それぞれ、袋体の持ち手が設けられている。袋体の持ち手のそれぞれの両端部の、一方の固着部から他方の固着部までの開口部の間隔と、袋体の持ち手のそれぞれの両端部の、一方の固着部から他方の固着部までの袋体の持ち手の長さとが略同じである。開口部の正面側及び背面側には、それぞれ、袋体の持ち手の両端部の固着部の間が伸縮自在になる伸縮手段が設けられている。
【０００７】
鞄の補助袋は袋体なので、上着等の衣類に限らず、マフラーなどの小物も収納できる。また、鞄の補助袋の持ち手を鞄の持ち手にかけるだけで、多種類の鞄に簡単に装着することができる。使用者は、鞄の持ち手を握っているだけで、鞄と鞄の補助袋の両方を持つことができる。また、袋体の持ち手の長さが短いので、鞄の持ち手に袋体の持ち手をかけたとき、袋体がブラブラせず、鞄と袋体が一体となって見栄えがよい。
【０００８】
また、持ち手を有する袋体の開口部の正面側及び背面側に、それぞれ、袋体の持ち手の両端部の固着部の間が伸縮自在になる伸縮手段を設けることにより、袋体の持ち手の両端部の間隔を縮めることができ、袋体の持ち手と袋体の開口部上端との間に隙間ができる。その結果、袋体の持ち手が握りやすくなり、手提げ袋としても使用することができる。
【０００９】
好ましくは、開口部の両端部には、それぞれ、開口部の正面側の両端部と対向する背面側の両端部とを連結する、着脱可能で、かつ、長さ調整が可能な吊り下げ手段が設けられている。
【００１０】
吊り下げ手段を有するので、肩掛け鞄の肩紐に袋体を簡単に装着することができる。また、吊下げ手段は、肩掛け鞄のサイズに合わせて長さ調節できるので、肩掛け鞄の肩紐に、鞄の補助袋を装着したとき、袋体がブラブラせず、鞄と袋体が一体となって見栄えがよい。
【００１１】
本発明に係る鞄の補助袋は、肩掛け鞄の肩紐に吊下げて使用する袋体であって、上部に開口部を有し、開口部を閉じた状態では、開口部の正面側と背面側とが重なり合い、開口部の両端部には、それぞれ、開口部の正面側の両端部と対向する背面側の両端部とを連結する、着脱可能で、かつ、長さ調整が可能な吊り下げ手段が設けられている。また、開口部の正面側及び背面側には、それぞれ、開口部の一部が伸縮自在になる伸縮手段が設けられている。
【００１２】
袋体に吊り下げ手段を設けることにより、肩掛け鞄の肩紐に袋体を簡単に装着することができ、使用者は袋体を手に持つ必要がない。また、吊下げ手段は、肩掛け鞄のサイズに合わせて長さ調整できるので、肩掛け鞄の肩紐に、鞄の補助袋を装着したとき、袋体がブラブラせず、鞄と袋体が一体となって見栄えがよい。
【００１３】
また、吊り下げ部を有する袋体の開口部の正面側及び背面側に、それぞれ、袋体の開口部の一部が伸縮自在になる伸縮手段を設けることにより、袋体の開口部のサイズを鞄のサイズに調節することができ、見栄えが良い。
【発明の効果】
【００１４】
以上のように本発明によれば、多種類の物が収納でき、多種類の鞄に簡単に装着することができる鞄の補助袋を提供することができる。
【図面の簡単な説明】
【００１５】
【図１】第１実施形態に係る本発明の使用状態を示す斜視図である。
【図２】鞄の補助袋１の伸縮部４０ａを縮めた状態を示す斜視図である。
【図３】第１実施形態に係る本発明の正面図（背面図）である。
【図４】第１実施形態に係る伸縮部４０ａの説明図である。
【図５】第１実施形態に係る伸縮部４０ａの説明図である。
【図６】第１実施形態の説明図である。
【図７】第１実施形態の説明図である。
【図８】第１実施形態の説明図である。
【図９】第１実施形態の説明図である。
【図１０】第１実施形態に係る伸縮部４０ｂの説明図である。
【図１１】第１実施形態に係る伸縮部４０ｂの説明図である。
【図１２】第２実施形態に係る本発明の使用状態を示す斜視図である。
【図１３】第２実施形態に係る伸縮部４０ｃの説明図である。
【図１４】第２実施形態に係る伸縮部４０ｃの説明図である。
【図１５】第２実施形態に係る吊り下げ部３０を示す拡大図である。
【図１６】第２実施形態に係る吊り下げ紐３６の使用状態を示す斜視図である。
【図１７】第３実施形態に係る本発明の斜視図である。
【図１８】第４実施形態実施例１に係る本発明の使用状態を示す斜視図である。
【図１９】第４実施形態実施例２に係るベルト片５０の説明図である。
【図２０】（ａ）第４実施形態実施例１に係る本発明の使用状態を示す斜視図である。        （ｂ）第４実施形態実施例１に係る本発明の使用状態を示す斜視図である。
【図２１】第４実施形態実施例２に係る２本の紐５２の説明図である。
【図２２】第４実施形態実施例２に係る本発明の使用状態を示す斜視図である。
【図２３】第４実施形態実施例２に係る本発明の使用状態を示す斜視図である。
【発明を実施するための形態】
【００１６】
（第１実施形態）
以下、本発明に係る第１実施形態について、図を用いて説明する。図１は、第１実施形態に係る鞄の補助袋１を、鞄の持ち手７に装着している斜視図である。図２は、鞄の補助袋１の伸縮部４０ａを縮めた状態を示す斜視図である。図１に示すように、鞄の補助袋１は、袋体１０に衣類等を収納し、袋体の持ち手２０を鞄の持ち手７にかけて使用するもので、防水性の素材からなる袋体１０と２本の袋体の持ち手２０とで構成され、図２に示すように、袋体１０の開口部には、伸縮手段の実施例として、伸縮部４０ａが設けられている。
【００１７】
図３は、鞄の補助袋１の正面図（背面図）である。鞄の補助袋１は、上部に開口部を有し、袋体１０の開口部の正面側と背面側には、それぞれ、袋体の持ち手２０が設けられていて、袋体の持ち手２０の両端部の一方の固着部（点Ｘ）から他方の固着部（点Ｙ）までの間隔（線ＸＰＹ）と、袋体の持ち手２０の両端部の一方の固着部（点Ｘ）から他方の固着部（点Ｙ）までの袋体の持ち手２０の長さ（線ＸＱＹ）とが略同じである点に特徴がある。
【００１８】
伸縮部４０ａは、袋体の持ち手２０の両端部の固着部（点Ｘ、点Ｙ）の間を縮めるためのもので、紐通し穴４１ａと、紐４２ａと、釦穴４３と、釦４４とで構成される。（図４参照）
【００１９】
袋体１０は、上部が開口していて、収納したいものが収納できる大きさであれば、形状は限定しないが、第１実施形態に係る 鞄の補助袋１の場合は、背広の上着が収納できるように、袋体１０にマチを設けた。例えば、以下のように製造することができる。
【００２０】
布１１の短手の両端部を、布の裏面１１ｂに向けて折り曲げ、点線Ｈで縫合し、袋体の持ち手２０の一方の固着部（点Ｘ）の際の袋体１０の開口部の中央寄りの部分に、紐通し穴４１ａを設ける。次に、他方の固着部（点Ｙ）の際の袋体１０の開口部の中央寄りの部分に、紐４２ａの片端を縫い止める。紐４２ａの他端の部分には釦穴４３を２箇所に設ける。（図４参照）
【００２１】
紐４２ａの他端を紐通し穴４１ａから布の表側１１ａに取り出し、布１１の短手の両端部を、布の裏面１１ｂに向けて更に折り曲げ、点線Ａで縫合する。（図５参照）
【００２２】
次に、袋体１０の横マチ１２を形成する。布１１の長手の両端を、横マチ幅の半分の幅のところで布の裏面１１ｂに向けて折り返し、折山から５ｍｍ程内側の点線Ｂを縫合する。（図６参照）
【００２３】
図７に示すように、布１１の長手の両端を外側に広げ、布１１が外表になるように、三つ折り縫合した短手の両端を合わせて、２つ折りにし、布１１の長手の両端から７ｍｍ程内側の点線Ｃを縫合し、袋体を形成する。
【００２４】
図８に示すように、袋体を中表にして、両端から１ｃｍ程内側の点線Ｄを縫合し、横マチ１２を形成する。
【００２５】
図９に示すように、袋体を外表にして、横マチ１２の下端と袋体の底部を重ね、該袋体の底部の端より７ｍｍ程内側の点線Ｅを縫合して、袋体１０を形成する。
【００２６】
次に、袋体の持ち手２０について説明する。袋体の持ち手２０は、細長い防水性の布を筒状に縫製し、袋体１０の開口部の正面側と背面側にそれぞれ設ける。図３に示すように、袋体の持ち手２０の両端部の一方の固着部（点Ｘ）から他方の固着部（点Ｙ）までの間隔（線ＸＰＹ）と、袋体の持ち手２０の両端部の一方の固着部（点Ｘ）から他方の固着部（点Ｙ）までの長さ（線ＸＱＹ）とが略同じになるように、袋体１０の正面側と対向する背面側に取り付ける。このとき、袋体の持ち手２０の両端部の固着部の上方を縫い縮めると取り付けやすい。
【００２７】
なお、袋体の持ち手２０の両端部の固着部の間隔は、袋体の持ち手２０が鞄の持ち手７にかけられるように、鞄の持ち手７の両端部の固着部の間隔よりも広くなっていなければならない。
【００２８】
第１実施形態に係る鞄の補助袋１は、横マチ１２を有する袋体なので、厚みのある上着等の衣類の他に、マフラーなどの小物類も収納でき、袋体の持ち手２０を鞄の持ち手７にかけるだけで、鞄の補助袋１が簡単に鞄に装着できる。また、衣類を手に持つ必要がないので、片手が空いて、雨が降っても傘が持ち易い。さらに、鞄の補助袋１は防水性の素材を使用しているので、収納物は雨に濡れない。
【００２９】
また、袋体の持ち手２０の長さが短いので、袋体の持ち手２０を鞄の持ち手７にかけたとき、袋体１０がブラブラせず、鞄と鞄の補助袋１が一体になり見栄えも良い。
【００３０】
また、袋体１０の開口部に、伸縮部４０ａが設けられているので、伸縮部４０ａを縮めることにより、袋体の持ち手２０の両端部の固着部の間隔が縮まり、袋体の持ち手２０と袋体１０の開口部との間に隙間ができる。その結果、袋体の持ち手２０が握りやすくなり、鞄の補助袋１を手提げ袋としても使用することができる。（図２参照）
【００３１】
なお、伸縮手段は、伸縮部４０ａに限らず、袋体の持ち手２０の両端部の固着部（点Ｘ、点Ｙ）の間が縮まるものであればよく、例えば、図１０、図１１に示すように、袋体の開口部の中央部分に雌雄型のスナップ４５を設けた伸縮部４０ｂでもよい。雌雄型のスナップ４５を連結すれば、袋体の持ち手２０の両端部の間隔が縮まる。
【００３２】
また、本発明の鞄の補助袋に収容できる物は、上着等の衣類に限定するものではないが、鞄の持ち手７の形状や耐荷重等を考慮して決めなければならない。
【００３３】
（第２実施形態）
次に、第２実施形態について説明する。図１２は、第２実施形態に係る鞄の補助袋２の使用状態を示す斜視図である。図１２に示すように、第２実施形態に係る鞄の補助袋２は、肩掛け鞄８の肩紐に装着して使用するものである。鞄の補助袋２は、第１実施形態に係る鞄の補助袋１の袋体の持ち手２０に代えて、袋体１０の開口部の両端部に、吊り下げ手段として、吊り下げ部３０が設けられている点及び、袋体１０の開口部に、伸縮手段の実施例として、伸縮部４０ｃが設けられている点が第１実施形態と異なる。その他の構成は、第１実施形態と略同じであるので、以下、第１実施形態と異なる点を中心に説明する。
【００３４】
伸縮部４０ｃは、布１１の短手の両端部を、布の裏面１１ｂに向けて折り曲げ、該両端部の中央に、紐通し穴４１ｂ、４１ｃを並べて設ける。横マチ１２となる部分よりも内側の任意の位置で、紐通し穴４１ｂに近い位置に紐４２ｂの片端を縫い止め、紐通し穴４１ｃに近い位置に紐４２ｃの片端を縫い止める。（図１３参照）
【００３５】
紐４２ｂの他端を紐通し穴４１ｃから布の表側１１ａに、紐４２ｃの縫い止め位置に向けて取り出し、紐４２ｃの他端を紐通し穴４１ｂから布の表側１１ａに、紐４２ｂの縫い止め位置に向けて取り出す。布１１の短手の両端部を、布の裏面１１ｂに向けて更に折り曲げ、点線Ａで縫合する（図１４参照）。その後の製造過程は、段落００２２から００２５までと略同じであるので説明は省略する（図６−図９参照）。
【００３６】
紐通し穴４１ｂから出た紐４２ｃは紐４２ｂの縫い止め位置に向けて、紐通し穴４１ｃから出た紐４２ｂは紐４２ｃの縫い止め位置に向けて、袋体１０の両端の方向に同時に引けば、開口部は縮まる（図１２、図１３参照）。
【００３７】
図１５は、吊り下げ部３０を示す拡大図である。吊り下げ部３０は、紐ａ３１と紐ｂ３２と角カン３３と移動カン３４と雌雄型の釦３５とで構成されていて、移動カン３４を利用して長さ調整が可能になっている。  
【００３８】
吊り下げ部３０は、まず、角カン３３に紐ａ３１を通し、紐ａ３１の両端を合わせて、紐ａ３１の端部を、袋体１０の開口部の背面側の両端部に、それぞれ点線Ｆで縫合する。（図１５参照）
【００３９】
次に、紐ｂ３２の片端を移動カン３４に通し、該端部が移動カン３４から外れないように、点線Ｇで縫合し、他端を角カン３３に通した後、移動カン３４に通す。紐ｂ３２の先端部、及び、紐ａ３１の取り付け箇所と対向する正面側の両端部に、雄雌型の釦３５をそれぞれ取り付けて、２組の吊り下げ部３０を形成する。（図１５参照）
【００４０】
吊り下げ部３０を肩掛け鞄８の肩紐に巻き付け、雄雌型の釦３５を連結すれば、肩掛け鞄８に装着できる。吊り下げ部３０は、移動カン３４の部分で長さ調節できる。（図１２参照）
【００４１】
第２実施形態では、吊り下げ部３０を設けることにより、肩掛け鞄８に装着することができる。吊り下げ部３０は、肩掛け鞄８のサイズに合わせて長さ調節できるので、肩掛け鞄８の肩紐に、鞄の補助袋２を装着したとき、袋体１０がブラブラせず、鞄と鞄の補助袋２とが一体となって見栄えがよい。袋体１０の効果は、第１実施形態と同じであるので、説明は省略する。
【００４２】
また、袋体１０の開口部に伸縮部４０ｃが設けられているので、袋体１０の開口部が肩掛け鞄８の開口部より大きい場合には、伸縮部４０ｃを肩掛け鞄８の開口部のサイズに合わせて縮めることにより、袋体１０がブカブカせず、見栄えも良くなる。
【００４３】
なお、吊り下げ手段は、吊り下げ部３０に限らず、袋体１０が肩掛け鞄８に装着できればよい。例えば、図１６に示すように、袋体１０の開口部の両端部に各２本の吊り下げ紐３６を設ける。２本の吊り下げ紐３６を肩掛け鞄８の肩紐に縛り付ければ、肩掛け鞄に装着できる。吊り下げ紐３６の縛る長さを調節すれば、幅広いサイズの肩掛け鞄８に適応する。
【００４４】
（第３実施形態）
次に、第３実施形態について説明する。図１７は、第３実施形態に係る鞄の補助袋３の斜視図である。第３実施形態は、第１実施形態に係る鞄の補助袋１の開口部に吊り下げ部３０が更に設けられている。吊り下げ部３０は、第２実施形態と同様であるので説明は省略する。
【００４５】
鞄の補助袋３は袋体なので、上着等の衣類の他に、マフラーなどの小物類も収納できる。また、袋体の持ち手２０及び吊り下げ部３０を有するので、持ち手を有する鞄でも、肩掛け鞄８でも、多種類の鞄に装着できる。さらに、伸縮部４０ａを縮めることにより、手提げ袋としても使用できる。
【００４６】
（第４実施形態）
（実施例１）
次に、本発明に係る第４実施形態の実施例１について、図を用いて説明する。図１８は、第４実施形態に係る本発明の使用状態を示す斜視図である。第４実施形態では、第１実施形態に係る鞄の補助袋１の開口部に、ベルト片５０が更に設けられた点で第１実施形態と異なる。その他の構成及び効果は、第１実施形態と略同様であるので以下、第１実施形態と異なる点を中心に説明する。
【００４７】
ベルト片５０には、連結手段として、使用目的別に２組の雌雄型の釦が設けられている。１組は、鞄の持ち手７にかけた袋体の持ち手２０が鞄から外れるのを防ぐためのもので、もう１組は、鞄に装着する袋を使用しないときに、該袋を小さく折り畳んで結束するためのものである。
【００４８】
図１９は、第４実施形態の実施例１に係る鞄の補助袋４ａのベルト片５０を示す拡大図である。ベルト片５０は、防水性の素材からなる筒状の細長い紐で、２組の着脱可能な雌雄型の釦５１ａ、５１ｂを備え、袋体１０の開口部の背面側の鞄の持ち手２０の両端部の何れかの固着部（点Ｘ又は点Ｙ）の際で中央寄りに、ベルト片５０の片端を縫合する。２組の雌雄型の釦５１ａ、５１ｂは用途に応じて連結する。
【００４９】
鞄の持ち手７にかけた袋体の持ち手２０が鞄から外れないように使用するときは、鞄の補助袋４ａの背面側が鞄に接合するように、袋体の持ち手２０を鞄の持ち手７にかけ、ベルト片５０を背面側の鞄の持ち手７に巻いて、雌雄型の釦５１ａを連結することにより、鞄の補助袋４ａが鞄に固定され、袋体の持ち手２０が鞄の持ち手７から外れるのを防ぐことができる。（図１８参照）
【００５０】
なお、ベルト片５０は１箇所に限らず、袋体の持ち手２０の両端部の際に適宜設けることができる。
【００５１】
また、鞄の補助袋４ａを使用しないときは、鞄の補助袋４ａを折り畳んでベルト片５０を巻き付け、雌雄型の釦５１ｂを連結すれば、鞄の補助袋４ａが小さくまとまり、鞄に収納しても邪魔にならない。（図２０参照）
【００５２】
第４実施形態の実施例１では、ベルト片５０を鞄の持ち手７に取り付けるので、袋体の持ち手２０が鞄の持ち手７から外れることはない。また、鞄を使用しないときは、鞄の補助袋４ａを折り畳み、ベルト片で結束すれば、鞄の補助袋４ａが小さくまとまり、携帯に便利である。（図１８、図２０参照）
【００５３】
（実施例２）
実施例２に係る鞄の補助袋４ｂでは、袋体１０の開口部に、実施例１のベルト片５０の代わりに２本の紐５２が設けられている。鞄の補助袋１の袋体１０の背面側の開口部の中央よりも左右何れかに寄った位置に、２本の紐５２の片端を縫合する。（図２１参照）
【００５４】
図２２に示すように、鞄の持ち手７に袋体の持ち手２０をかけ、２本の紐５２で鞄の持ち手７を縛れば、袋体１０が鞄の持ち手７から外れない。図２３に示すように、鞄の補助袋４ｂを使用しないときは、鞄の補助袋４ｂを折り畳んで、２本の紐５２で結束すれば、小さくまとまり携帯に便利である。
【００５５】
なお、連結手段として、実施例１のベルト片５０や実施例２の２本の紐５２を設けているが、連結できるものであればこれらに限定しない。
【００５６】
（第５実施形態）
（実施例１）
第５実施形態の実施例１は、第２実施形態に係る鞄の補助袋２に、１組の雌雄型の釦５１ｂのみを備えたベルト片５０が設けられている。１組の雌雄型の釦５１ｂのみを備えたベルト片５０の片端を、袋体１０の開口部の正面側又は背面側の中央に取り付ける。鞄の補助袋２を使用しないときには、鞄の補助袋２を折り畳んでベルト片５０を巻き付け、雌雄型の釦５１ｂを連結すれば、鞄の補助袋２が小さくまとまり、鞄に収納しても邪魔にならない。
【００５７】
（実施例２）
実施例２は、実施例１のベルト片５０に換えて、２本の紐５２が設けられている。２本の紐５２の片端を、袋体１０の開口部の正面側又は背面側の中央に取り付ける。鞄の補助袋２を使用しないときには、鞄の補助袋２を折り畳んで、２本の紐５２で結束すれば、小さくまとまり携帯に便利である。
【符号の説明】
【００５８】
１、２、３、４ａ、４ｂ：鞄の補助袋
７：鞄の持ち手
８：肩掛け鞄
１０:袋体
１１:布
１１ａ：布の表面
１１ｂ：布の裏面
１２：横マチ
２０：袋体の持ち手
３０：吊り下げ部
３１：紐ａ
３２：紐ｂ
３３：角カン 
３４：移動カン 
３５：雌雄型の釦
３６：吊り下げ紐
４０ａ、４０ｂ、４０ｃ：伸縮部
４１ａ、４１ｂ、４１ｃ：紐通し穴
４２ａ、４２ｂ、４２ｃ：紐
４３：釦穴
４４：釦
４５：雌雄型のスナップ
５０：ベルト片
５１ａ、５１ｂ：雌雄型の釦
５２：紐
【手続補正３】
【補正対象書類名】図面
【補正対象項目名】全図
【補正方法】変更
【補正の内容】
【図１】
2018102860.tif 000028
【図２】
2018102860.tif 000029
【図３】
2018102860.tif 000030
【図４】
2018102860.tif 000031
【図５】
2018102860.tif 000032
【図６】
2018102860.tif 000033
【図７】
2018102860.tif 000034
【図８】
2018102860.tif 000035
【図９】
2018102860.tif 000036
【図１０】
2018102860.tif 000037
【図１１】
2018102860.tif 000038
【図１２】
2018102860.tif 000039
【図１３】
2018102860.tif 000040
【図１４】
2018102860.tif 000041
【図１５】
2018102860.tif 000042
【図１６】
2018102860.tif 000043
【図１７】
2018102860.tif 000044
【図１８】
2018102860.tif 000045
【図１９】
2018102860.tif 000046
【図２０】
2018102860.tif 000047
【図２１】
2018102860.tif 000048
【図２２】
2018102860.tif 000049
【図２３】
2018102860.tif 000050